(57)【要約】【課題】ダブル発電において、太陽光発電システムが発電する電力の大きさと向きを検出する電力検出器の異常判定、報知および停止のうちの少なくとも一方の処理を行う、分散型発電システムを提供する。【解決手段】太陽光発電システム２が発電する電力の大きさと向きを検出する電力流検出器と、制御器１５を備え、制御器１５は、太陽光発電システム２の発電量が第１発電量以下である発電低下期間を測定し、前記発電低下期間が予め定められる第１期間以上である場合に電力検出器の異常判定、報知および停止のうちの少なくとも一方の処理を行う。【選択図】図１
2014166128.tif 000002
【特許請求の範囲】
【請求項１】
分散型発電システムであって、
前記分散型発電システムに併設される太陽光発電システムが発電する電力の大きさを検出する電力検出器と、
制御器と、
温度、気圧及び湿度のうちの少なくとも１つを基に、日照の有無を判定する日照判定器と、
を備え、
前記制御器は、前記日照判定器が日照ありと判定し、かつ、前記電力検出器が検出した前記太陽光発電システムの発電量が第１発電量以下である発電低下期間を測定し、
前記発電低下期間が予め定められる発電低下期間以上である場合に、前記電力検出器の異常判定、報知および停止のうちの少なくとも一方の処理を行う、分散型発電システム。
【請求項２】
外気の温度を検出する温度検出器を備え、
前記日照判定器は、前記温度検出器が検出する温度を基に、所定単位期間における最高温度と最低温度と差が予め定められる所定温度差以上である場合に、日照ありと判定する、請求項１に記載の分散型発電システム。
【請求項３】
前記日照判定器は、所定単位期間において前記温度検出器が検出する最高温度と最低温度と差が前記所定温度差より小さい場合に、日照なしと判定し、前記発電低下期間のカウントをリセットする、請求項２に記載の分散型発電システム。
【請求項４】
前記日照判定器は、カレンダー機能を備え、雨季を含む発電低下期間中は、予め定められる前記所定温度差を前記第１温度差とし、前記発電低下期間以外の期間である第２期間中は、予め定められる前記所定温度差を前記第１温度差より大きい第２温度差とする、請求項２又は３に記載の分散型発電システム。
【請求項５】
気圧を検出する気圧検出器を備え、
前記日照判定器は、前記気圧検出器が検出する圧力が予め定められる所定圧力以上である場合に、日照ありと判定する、請求項１に記載の分散型発電システム。
【請求項６】
前記日照判定器は、所定単位期間において前記気圧検出器が検出する圧力が前記所定圧力より低い場合に、日照なしと判定し、前記発電低下期間のカウントをリセットする、請求項５に記載の分散型発電システム。
【請求項７】
前記日照判定器は、カレンダー機能を備え、雨季を含む発電低下期間中は、予め定められる前記所定圧力を前記第１圧力とし、前記発電低下期間以外の期間である第２期間中は、予め定められる前記所定圧力を前記第１圧力より高い第２圧力とする、請求項５又は６に記載の分散型発電システム。
【請求項８】
湿度を検出する湿度出器を備え、
前記日照判定器は、前記湿度出器が検出する湿度が予め定められる所定湿度以下である場合に、日照ありと判定する、請求項１に記載の分散型発電システム。
【請求項９】
前記日照判定器は、所定単位期間において湿度出器が検出する湿度が前記所定圧力より高い場合に、日照なしと判定し、前記発電低下期間のカウントをリセットする、請求項８に記載の分散型発電システム。
【請求項１０】
前記日照判定器は、カレンダー機能を備え、雨季を含む発電低下期間中は、予め定めら
れる前記所定湿度を前記第１湿度とし、前記発電低下期間以外の期間である第２期間中は、予め定められる前記所定湿度を前記第１湿度より低い第２湿度とする、請求項８又は９に記載の分散型発電システム。
【発明の詳細な説明】
【技術分野】
【０００１】
本発明は、商用電力系統と連系して、商用電力系統、および需要家内負荷へ電力を供給する分散型発電システムに関するものである。
【背景技術】
【０００２】
従来、分散型発電システムとしては、例えば、家庭用燃料電池システムや太陽光発電システムが各ユーザー宅に設置されている。
【０００３】
図８は、従来の家庭用燃料電池システムのブロック図である。
【０００４】
従来の家庭用燃料電池システム１は、水素を主体とする燃料ガスと酸素とから直流電力を発電する燃料電池１１と、燃料電池１１が発電した直流電力を交流電力に変換する第１のパワーコンディショナー１２と、第１のパワーコンディショナー１２が出力する電力の電流の大きさと電流の向きを検出する第１の電流検出器１３と、第１のパワーコンディショナー１２が出力する電力の電圧を検出する第１の電圧検出器１４と、第１の電流検出器１３が検出した電流検出値と第１の電圧検出器１４が検出した電圧検出値とに基づいて家庭用燃料電池システム１の発電量を算出する制御器１５と、家庭内負荷３よりも商用電力系統４側の電流の大きさと電流の向きを検出する第２の電流検出器１６とを備えている。
【０００５】
また、例えば、日本では、家庭用燃料電池システム１は、商用電力系統４に家庭用燃料電池システム１が発電する電力が逆潮することがないように制御されている。
【０００６】
また、定期的に商用電力系統４と図示しないシステム内負荷とを制御器１５により接続することで、第２の電流検出器１６に既知の電流を流し、第２の電流検出器１６の電流センサの取り付け状態が正常かどうか判定する。
【０００７】
さらに、家庭用燃料電池システム１は、表示装置１７により家庭用燃料電池システム１の発電量と家庭内負荷３の消費電力を表示している。
【０００８】
図９は、従来の太陽光発電システムのブロック図である。
【０００９】
太陽光発電システム２は、太陽光のエネルギーを変換して直流電力を発電する太陽電池２１と、太陽電池２１が発電した直流電力を交流電力に変換する第２のパワーコンディショナー２２とを備えている。
【００１０】
これにより、太陽光発電システム２は、太陽光発電により発電し、家庭内負荷３に電力を供給し、余った電気は売電している（例えば、特許文献１ご参照）。
【００１１】
近年、エネルギー効率の高い家庭用燃料電池システムと、自然エネルギーの太陽光を利用して発電する太陽光発電システムの２つを組み合わせた、いわゆる「ダブル発電」の設置が行なわれている。
【００１２】
図１０は、ダブル発電のブロック図である。
【００１３】
図１０に示すように、家庭用燃料電池システム１と太陽光発電システム２が商用電力系統４に結合され、これにより、家庭内で使用する電気はほとんど家庭用燃料電池システムでまかない、太陽光発電システムで発電した電気は大半を売電することができる。
【００１４】
このダブル発電においては、２つの分散型発電システムを組み合わせることで、さらにＣＯ２排出量の削減を図ることが可能になった。
【００１５】
ダブル発電を設置したユーザーから、家庭用燃料電池システム１の発電量、太陽光発電システム２の発電量、家庭内負荷３の消費電力、商用電力系統４への売電電力量を一元的に把握して、ダブル発電を導入したメリットを実感し、ＣＯ２排出量の削減等の環境貢献度をモニターできることが望まれていた。
【先行技術文献】
【特許文献】
【００１６】
【特許文献１】特開平１１−２２５４４０号公報
【発明の概要】
【発明が解決しようとする課題】
【００１７】
しかしながら、ダブル発電において、太陽光発電システムが発電する電力の大きさを検出する電力検出器の設置状態を判定するという観点から、未だ改善の余地があった。
【００１８】
本発明は、ダブル発電において、太陽光発電システムが発電する電力の大きさを検出する電力検出器の設置状態の判定をより確実に行い、電流検出器が異常であることを判定、および報知のうちの少なくとも一方の処理を行い、太陽光発電システムの発電量をより正確にモニタリングすることができる分散型発電システムを提供することを目的とする。
【課題を解決するための手段】
【００１９】
この要望を実現する為に、家庭用燃料電池システム１に付加機能を取り付け、家庭用燃料電池システム１の表示装置１７に各種情報を表示している。
【００２０】
図１１は、各種情報を一元的に表示できるダブル発電のブロック図である。
【００２１】
図１１に示すように、家庭用燃料電池システム１は付加機能として、太陽光発電システム２が発電する電力の電流の大きさと電流の向きを検出する第３の電流検出器１８と、太陽光発電システム２が発電する電力の電圧を検出する第２の電圧検出器１９と、第３の電流検出器１８が検出した電流検出値と第２の電圧検出器１９が検出した電圧検出値とに基づいて太陽光発電システム２の発電量を算出する制御器１５を有している。
【００２２】
これにより、家庭用燃料電池システム１側で家庭内の全ての電力量がリアルタイムで測定でき、家庭用燃料電池システム１の表示装置１７に、家庭用燃料電池システム１の発電量、太陽光発電システム２の発電量、家庭内負荷３の消費電力、商用電力系統４への売電電力量、ＣＯ２排出量の削減等を表示できる。
【００２３】
しかしながら、この構成では、太陽光発電システムの制御と無関係に、家庭用燃料電池システムの上記付加機能を外付けで取り付ける。そのために、太陽光発電システムの発電量測定に使用する、太陽光発電システムが発電する電力の電流の大きさと電流の向きを検出する電流検出器の電流センサが故障、断線、もしくは電線から外れているという異常が発生した場合、家庭用燃料電池システムの表示装置では太陽光発電システムの発電量が正しく表示されない恐れがあった。例えば、太陽光発電システム及び家庭用燃料電池システムを設置したユーザーが電力量表示の異常を感じて、初めて電流検知器の異常に気付く場合があった。
【００２４】
このような構成では、太陽光発電システムが発電する電力の大きさを検出する電力検出
器の異常の検出が困難であるという課題を本発明者らは見出した。
【００２５】
この課題を解決するために、本発明の分散型発電システムは、燃料ガスを用いて発電する分散型発電システムであって、前記分散型発電システムに併設される太陽光発電システムが発電する電力の大きさを検出する電力検出器と、制御器と、温度、気圧及び湿度のうちの少なくとも１つを基に、日照の有無を判定する日照判定器と、
を備え、
前記制御器は、前記日照判定器が日照ありと判定し、かつ、前記電力検知器が検出した前記太陽光発電システムの発電量が第１発電量以下である発電低下期間を測定し、
前記発電低下期間が予め定められる発電低下期間以上である場合に、前記電力検出器の異常判定、報知および停止のうちの少なくとも一方の処理を行うものである。
【００２６】
これによって、太陽光発電システムが発電する電力の大きさを検出する電力検出器の設置状態の判定をより確実に行い、電力検出器が異常であることを判定、および報知のうちの少なくとも一方の処理を行い、太陽光発電システムの発電量をより正確にモニタリングすることができる。
【発明の効果】
【００２７】
本発明の分散型発電システムは、太陽光発電システムの発電量測定に使用する、太陽光発電システムが発電する電力の大きさを検出する電力検出器が故障、断線、もしくは電線から外れているという異常状態が発生した場合、電力検出器が異常であることを判定、および報知のうちの少なくとも一方の処理を行い、太陽光発電システムの発電量をより正確にモニタリングすることができる。
【図面の簡単な説明】
【００２８】
【図１】実施の形態１における分散型発電システムのブロック図
【図２】実施の形態１における判定制御の一例を示す模式図
【図３】実施の形態１における判定制御の一例を示す模式図
【図４】実施の形態２における分散型発電システムのブロック図
【図５】実施の形態２における判定制御の一例を示す模式図
【図６】実施の形態３における判定制御の一例を示す模式図
【図７】実施の形態４における判定制御の一例を示す模式図
【図８】従来の分散型発電システムのブロック図
【図９】従来の分散型発電システムのブロック図
【図１０】従来の分散型発電システムのブロック図
【図１１】実施の形態１における分散型発電システムのブロック図
【発明を実施するための形態】
【００２９】
第１の発明は、燃料ガスを用いて発電する分散型発電システムであって、
前記分散型発電システムに併設される太陽光発電システムが発電する電力の大きさを検出する電力検出器と、
制御器と、
温度、気圧及び湿度のうちの少なくとも１つを基に、日照の有無を判定する日照判定器と、を備え、
前記制御器は、前記日照判定器が日照ありと判定し、かつ、前記電力検出器が検出した前記太陽光発電システムの発電量が第１発電量以下である発電低下期間を測定し、
前記発電低下期間が予め定められる発電低下期間以上である場合に、前記電力検出器の異常判定、報知及び停止のうちの少なくとも一方の処理を行う、分散型発電システムである。
【００３０】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００３１】
なお、例えば、電力検出器は、太陽光発電システムが発電する電力の電流を検出する電流検出器と電圧を検出する電圧検出器を備えていてもよい。また、例えば、制御器は、電流検出器が検出する電流及び電圧検出器が検出する電圧に基づいて、太陽光発電システムの発電量を算出するものであってもよい。
【００３２】
第２の発明は、特に、第１の発明において、外気の温度を検出する温度検出器を備え、
前記日照判定器は、前記温度検出器が検出する温度を基に、所定単位期間における最高温度と最低温度と差が予め定められる所定温度差以上である場合に、日照ありと判定する、分散型発電システムである。
【００３３】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００３４】
第３の発明は、特に、第２の発明において、前記日照判定器は、所定単位期間において温度検出器が検出する最高温度と最低温度と差が前記所定温度差より小さい場合に、日照なしと判定し、前記発電低下期間のカウントをリセットする、分散型発電システムである。
【００３５】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００３６】
第４の発明は、特に、第２又は３の発明において、前記日照判定器は、カレンダー機能を備え、雨季を含む発電低下期間中は、予め定められる前記所定温度差を前記第１温度差とし、前記発電低下期間以外の期間である第２期間中は、予め定められる前記所定温度差を前記第１温度差より大きい第２温度差とする、分散型発電システムである。
【００３７】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００３８】
第５の発明は、特に、第１の発明において、気圧を検出する気圧検知器を備え、
前記日照判定器は、前記気圧検知器が検出する圧力が予め定められる所定圧力以上である場合に、日照ありと判定する、分散型発電システムである。
【００３９】
この構成により、分散型発電システムは、太陽光発電システムの発電量測定に使用する、太陽光発電システムが発電する電力の電流の大きさと電流の向きを検出する電流検出器
の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００４０】
第６の発明は、特に、第５の発明において、前記日照判定器は、所定単位期間において気圧検知器が検出する圧力が前記所定圧力より低い場合に、日照なしと判定し、前記発電低下期間のカウントをリセットする、分散型発電システムである。
【００４１】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００４２】
第７の発明は、特に、第５又は６の発明において、前記日照判定器は、カレンダー機能を備え、雨季を含む発電低下期間中は、予め定められる前記所定圧力を前記第１圧力とし、前記発電低下期間以外の期間である第２期間中は、予め定められる前記所定圧力を前記第１圧力より高い第２圧力とする、分散型発電システムである。
【００４３】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００４４】
第８の発明は、特に、第１の発明において、湿度を検出する湿度検知器を備え、
前記日照判定器は、前記湿度検知器が検出する湿度が予め定められる所定湿度以下である場合に、日照ありと判定する、分散型発電システムである。
【００４５】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００４６】
第９の発明は、特に、第８の発明において、前記日照判定器は、所定単位期間において湿度検知器が検出する湿度が前記所定圧力より高い場合に、日照なしと判定し、前記発電低下期間のカウントをリセットする、分散型発電システムである。
【００４７】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００４８】
第１０の発明は、特に、第８又は９の発明において、前記日照判定器は、カレンダー機能を備え、雨季を含む発電低下期間中は、予め定められる前記所定湿度を前記第１湿度とし、前記発電低下期間以外の期間である第２期間中は、予め定められる前記所定湿度を前記第１湿度より低い第２湿度とする、分散型発電システムである。
【００４９】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００５０】
以下、本発明の分散型発電システムの実施の形態について、図面を参照しながら説明する。なお、この実施の形態によって本発明が限定されるものではない。
【００５１】
（実施の形態１）
図１は、本発明の実施の形態１における分散型発電システムのブロック図を示す。
図２、図３は、本発明の実施の形態１における判定制御の一例を示す模式図を示す。
【００５２】
図１に示すように、家庭用燃料電池システム１は、水素を主体とする燃料ガスと酸素とから直流電力を発電する燃料電池１１と、燃料電池１１が発電した直流電力を交流電力に変換する第１のパワーコンディショナー１２と、家庭用燃料電池システム１が発電する電力の電流の大きさと電流の向きを検出する第１の電流検出器１３と、家庭用燃料電池システム１が発電する電力の電圧を検出する第１の電圧検出器１４と、第１の電流検出器１３が検出した電流検出値と第１の電圧検出器１４が検出した電圧検出値とに基づいて家庭用燃料電池システム１の発電量を算出する制御器１５と、家庭内負荷３よりも商用電力系統４側の電流の大きさと電流の向きを検出する第２の電流検出器１６とを備えている。
【００５３】
これにより、家庭用燃料電池システム１は、商用電力系統４に家庭用燃料電池システム１が発電する電力そのものが逆潮することがないように制御されている。
【００５４】
さらに、家庭用燃料電池システム１は、表示装置１７により家庭用燃料電池システム１の発電量と家庭内負荷３の消費電力を表示している。
【００５５】
また、太陽光発電システム２は、太陽光のエネルギーを変換して直流電力を発電する太陽電池２１と、太陽電池２１が発電した直流電力を交流電力に変換する第２のパワーコンディショナー２２とを備え商用電力系統４に結合されている。
【００５６】
これにより、太陽光発電システム２は、家庭内負荷３に電力を供給し、太陽光発電により余った電気は売電している。
【００５７】
さらに、家庭用燃料電池システム１の付加機能として、太陽光発電システム２が発電する電力の電流の大きさと電流の向きを検出する第３の電流検出器１８と、太陽光発電システム２が発電する電力の電圧を検出する第２の電圧検出器１９と、第３の電流検出器１８が検出した電流検出値と第２の電圧検出器１９が検出した電圧検出値とに基づいて太陽光発電システム２の発電量を算出する制御器１５を備えている。
【００５８】
これにより、家庭用燃料電池システム１側で家庭内の全ての電力量がリアルタイムで測定でき、家庭用燃料電池システム１の表示装置１７に、家庭用燃料電池システム１の発電量、太陽光発電システム２の発電量、家庭内負荷３の消費電力、商用電力系統４への売電電力量、ＣＯ２排出量の削減等を表示している。
【００５９】
さらに、温度、気圧及び湿度のうちの少なくとも１つを基に、日照の有無を判定する日照判定器２０と、を備え、制御器１５は、日照判定器２０が日照ありと判定し、かつ、算出した太陽光発電量が第１発電量以下である発電低下期間Ｔ１を測定し、発電低下期間Ｔ１が予め定められる第１期間ＴＨ１以上である場合に、第３の電流検出器１８の異常判定
及び異常報知のうちの少なくとも一方の処理を行い、報知処理の場合は表示装置１７で報知する。
【００６０】
図２は、第３の電流検出器１８を設置した時に、当初から電流センサが故障、断線、もしくは電線から外れていた場合の異常検知タイミングを示している。
【００６１】
図３は、第３の電流検出器１８を設置した後に、稼動途中で何らかの原因で電流センサが故障、断線、もしくは電線から外れていた場合の異常検知タイミングを示している。
【００６２】
以上のように、本実施の形態の分散型発電システムは、太陽光発電システム２の発電量測定に使用する、太陽光発電システムが発電する電力の電流の大きさと電流の向きを検出する第３の電流検出器１８の電流センサが、故障、断線、もしくは電線から外れているという異常状態が発生した場合、電流検出器１８が異常であることを判定、および報知のうちの少なくとも一方の処理を行い、太陽光発電システムの発電量を正確にモニターすることができる。
【００６３】
（実施の形態２）
図４は、本発明の実施の形態２における分散型発電システムのブロック図を示す。
図５は、本発明の実施の形態２における判定制御の一例を示す模式図を示す。
【００６４】
なお、実施の形態１と同一のものについては、同じ符号を付して、その説明を省略する。図４に示すように、特に、実施の形態１において、外気の温度を検出して制御器１５に送信する温度検出器３０をさらに有する。また、制御器１５は、太陽光発電システム２の発電量が第１発電量以下であり、かつ、予め定められる所定期間内において温度検出器が検知する最高温度と最低温度との温度差が第１温度以上である場合に、発電低下期間Ｔ１として測定し、発電低下期間Ｔ１が予め定められる第１期間ＴＨ１以上である場合に電流検出器が異常であることを表示装置１７で報知する。
【００６５】
図５は、第３の電流検出器１８を設置した後に、稼動途中で何らかの原因で電流センサが故障、断線、もしくは電線から外れていた場合の異常検知タイミングを示している。
【００６６】
以上のように本実施の形態の分散型発電システムは、外気の温度を測定することにより太陽光発電システム２の発電状態を推測することにより、太陽光発電システム２の発電量が正常かどうかの判定を実施する。そのため、誤った判定をせずに、太陽光発電システム２の発電量測定に使用する、太陽光発電システム２が発電する電力の電流の大きさと電流の向きを検出する電流検出器１８の電流センサが故障、断線、もしくは電線から外れているという異常状態が発生した場合、電流検出器１８が異常であることを判定、および報知のうちの少なくとも一方の処理を行い、太陽光発電システムの発電量を正確にモニターすることができることができる。
【００６７】
なお、温度検出器３０を、気圧検知器や、湿度検知器など、日照の有無と相関のある気象情報を取得手段として利用しても良い。
【００６８】
気圧検知器を用いた場合は、気圧検知器が検出する圧力が予め定められる所定圧力以上である場合に、日照ありと判定する。
【００６９】
湿度検知器を用いた場合は、前記日照判定器は、湿度検知器が検出する湿度が予め定められる所定湿度以下である場合に、日照ありと判定する。
【００７０】
上記構成により、分散型発電システムは、太陽光発電システムの発電量測定に使用する
、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００７１】
（実施の形態３）
本発明の実施の形態３における分散型発電システムのブロック図は、図４に示した実施の形態２の分散型発電システムのブロック図と同様である。
【００７２】
なお、実施の形態１、２と同一のものについては、同じ符号を付して、その説明を省略する。
【００７３】
図６は、本発明の実施の形態３における判定制御の一例を示す模式図を示す。
図４に示すように、特に、実施の形態１において、外気の温度を検出して制御器１５に送信する温度検出器３０をさらに有し、制御器１５は、予め定められる所定期間内において温度検出器３０が検知する最高温度と最低温度との温度差が第１温度未満である場合、発電低下期間Ｔ１をリセットする。
【００７４】
以上のように本実施の形態の分散型発電システムは、外気の温度を測定することにより太陽光発電システム２の発電状態を推測し、太陽光発電システム２の発電量が正常かどうかの判定を実施する。そのため、誤った判定をせずに、太陽光発電システム２の発電量測定に使用する、太陽光発電システム２が発電する電力の電流の大きさと電流の向きを検出する電流検出器１８の電流センサが故障、断線、もしくは電線から外れているという異常状態が発生した場合、電流検出器１８が異常であることを判定、および報知のうちの少なくとも一方の処理を行い、太陽光発電システムの発電量を正確にモニターすることができることができる。
【００７５】
なお、温度検出器３０を、気圧検知器や、湿度検知器など、日照の有無と相関のある気象情報を取得手段として利用しても良い。
【００７６】
気圧検知器を用いた場合は、日照判定器は、所定単位期間において気圧検知器が検出する圧力が所定圧力より低い場合に、日照なしと判定し、発電低下期間Ｔ１のカウントをリセットする。
【００７７】
湿度検知器を用いた場合は、日照判定器は、所定単位期間において湿度検知器が検出する湿度が所定圧力より高い場合に、日照なしと判定し、発電低下期間Ｔ１のカウントをリセットする。
【００７８】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【００７９】
（実施の形態４）
本発明の実施の形態３における分散型発電システムのブロック図は、図１、図４に示した実施の形態１〜３の分散型発電システムのブロック図と同様である。
【００８０】
図７は、本発明の実施の形態４における判定制御の一例を示す模式図を示す。
【００８１】
実施の形態４は、特に、実施の形態２〜３において、日照判定器２０は、カレンダー機能を備え、雨季を含む発電低下期間中である第１期間中は、予め定められる所定温度差を第１温度差とし、発電低下期間以外の期間である第２期間中は、予め定められる所定温度差を前記第１温度差より大きい第２温度差とする。
【００８２】
雨季を含む発電低下期間中である第１期間中に、第２温度差を適用すると、太陽光発電システム２が実質的に発電している場合でも、発電低下期間Ｔ１として測定することになる。
【００８３】
以上のように本実施の形態の分散型発電システムは、日照判定器２０は、カレンダー機能を備え、雨季を含む発電低下期間中である第１期間中は、予め定められる所定温度差を第１温度差とし、発電低下期間以外の期間である第２期間中は、予め定められる所定温度差を前記第１温度差より大きい第２温度差とし、太陽光発電システム２の発電量が正常かどうかの判定を実施する。そのため、誤った判定をせずに、太陽光発電システム２の発電量測定に使用する、太陽光発電システム２が発電する電力の電流の大きさと電流の向きを検出する電流検出器１８の電流センサが故障、断線、もしくは電線から外れているという異常状態が発生した場合、電流検出器１８が異常であることを判定、および報知のうちの少なくとも一方の処理を行い、太陽光発電システムの発電量を正確にモニターすることができることができる。
【００８４】
なお、温度検出器３０を、気圧検知器や、湿度検知器など、日照の有無と相関のある気象情報を取得手段として利用しても良い。
【００８５】
気圧検知器を用いた場合は、日照判定器は、カレンダー機能を備え、雨季を含む発電低下期間中は、予め定められる所定圧力を第１圧力とし、発電低下期間以外の期間である第２期間中は、予め定められる所定圧力を第１圧力より高い第２圧力とする。
【００８６】
湿度検知器を用いた場合は、日照判定器は、カレンダー機能を備え、雨季を含む発電低下期間中は、予め定められる所定湿度を第１湿度とし、発電低下期間以外の期間である第２期間中は、予め定められる所定湿度を第１湿度より低い第２湿度とする。
【００８７】
この構成により、分散型発電システムは、太陽光発電システムの発電量測定に使用する、太陽光発電システムが発電する電力の電流の大きさと電流の向きを検出する電流検出器の電流センサが故障、断線、もしくは電線から外れているという異常状態が発生した場合、電流検出器が異常であることを判定、および報知のうちの少なくとも一方の処理を行い、太陽光発電システムの発電量を正確にモニターすることができる。
【産業上の利用可能性】
【００８８】
以上のように、本発明にかかる分散型発電システムは、ダブル発電において、太陽光発電システムの発電量測定に使用する、太陽光発電システムが発電する電力の電流の大きさと電流の向きを検出する電流検出器の電流センサが、故障、断線、もしくは電線から外れているという異常状態が発生した場合、電流検出器が異常であることを判定、および報知のうちの少なくとも一方の処理を行い、太陽光発電システムの発電量を正確にモニターすることができる。そのため、燃料電池装置、ガスエンジン発電装置、風力発電装置、太陽熱発電装置のような分散型発電装置等の用途にも適用することができる。
【符号の説明】
【００８９】
１  家庭用燃料電池システム
２  太陽光発電システム
３  家庭内負荷
４  商用電力系統
５  分電盤
１１  燃料電池
１２  パワーコンディショナー
１３  電流検出器
１４  電圧検出器
１５  制御器
１６  電流検出器
１７  表示装置
１８  電流検出器
１９  電圧検出器
２０  日照判定器
２１  太陽電池
２２  パワーコンディショナー
３０  温度検出器
【図１】
2014166128.tif 000003
【図２】
2014166128.tif 000004
【図３】
2014166128.tif 000005
【図４】
2014166128.tif 000006
【図５】
2014166128.tif 000007
【図６】
2014166128.tif 000008
【図７】
2014166128.tif 000009
【図８】
2014166128.tif 000010
【図９】
2014166128.tif 000011
【図１０】
2014166128.tif 000012
【図１１】
2014166128.tif 000013